(57)【要約】【課題】  装置の構成を複雑にすることなく迷惑電話に対応することができる電話装置を提供する。【解決手段】  スピーカ５は、音声を電気信号に変換する。音声符号化部４は、スピーカ５によって変換された電気信号を符号化して音声データを生成する。主制御部７は、音声データをパケット化して送信パケットを生成する。主制御部７は、生成した複数の送信パケットのうちの一部の送信パケットを破棄し、破棄した送信パケットを除く残余の送信パケットを通信制御部２に与える。通信制御部２は、主制御部７から与えられた送信パケットを、アンテナ１１を介して他の電話装置に送信する。【選択図】      図１
2008010983.tif 000002
【特許請求の範囲】
【請求項１】
音声を電気信号に変換して音声データを生成する音声データ生成手段と、
音声データ生成手段によって生成される音声データをパケット化して複数の送信パケットを生成し、生成した複数の送信パケットのうちの予め定める割合の送信パケットを断続的に出力可能なパケット処理手段と、
通信網に接続され、通信網に接続される他の電話装置との通信を確立した後、前記パケット処理手段から出力される送信パケットを通信網に送信し、かつ音声データがパケット化された受信パケットを通信網から受信する送受信手段と、
前記送受信手段によって受信した受信パケットに含まれる音声データを音声として出力する出力手段とを含むことを特徴とする電話装置。
【請求項２】
前記パケット処理手段は、音声データを時系列順にパケット化し、時系列順に連続する複数の送信パケットを除いて出力することを特徴とする請求項１記載の電話装置。
【請求項３】
前記送受信手段は、受信パケットを前記パケット処理手段に与え、
前記パケット処理手段は、前記送受信手段から与えられる受信パケットのうち、予め定める割合の受信パケットを出力し、
出力手段は、前記パケット処理手段から出力される受信パケットに含まれる音声データを音声として出力することを特徴とする請求項１または２記載の電話装置。
【請求項４】
前記送受信手段は、パケット処理手段が時系列順に断続的に送信パケットを出力し始めてから予め定める時間の経過後、他の電話装置との通信を終了することを特徴とする請求項１〜３のいずれか１つに記載の電話装置。
【請求項５】
前記パケット処理手段は、前記予め定める割合を乱数に基づいて決定することを特徴とする請求項１〜４のいずれか１つに記載の電話装置。
【請求項６】
前記パケット処理手段は、前記予め定める割合を通信時間の経過にともなって減少させることを特徴とする請求項１〜４のいずれか１つに記載の電話装置。
【請求項７】
入力手段をさらに含み、
前記パケット処理手段は、入力手段から入力される選択指令に基づいて、生成した複数の送信パケットのうちの予め定める割合の送信パケットを出力するパケット破棄モードと、生成した複数の送信パケットの全てを出力するパケット全出力モードとを選択可能であることを特徴とする請求項１〜４のいずれか１つに記載の電話装置。
【請求項８】
前記パケット処理手段は、前記入力手段から入力される前記予め定める割合を表す情報に応じて、予め定める割合を設定することを特徴とする請求項７記載の電話装置。
【請求項９】
前記パケット処理手段は、前記入力手段から入力される前記予め定める割合を減少することを表す情報に応じて、予め定める割合を減少させることを特徴とする請求項７または８記載の電話装置。
【請求項１０】
時刻を計時する計時手段を備え、
パケット処理手段は、前記計時手段が計時する時刻が、入力手段から入力される時間帯情報が表す時間帯に含まれているときに前記パケット破棄モードを選択することを特徴とする請求項７〜９のいずれか１つに記載の電話装置。
【請求項１１】
電話番号情報を記憶する記憶手段をさらに含み、
記憶手段に記憶される電話番号情報のうち、予め定める電話番号情報に対応する電話装置と通信するときに、パケット処理手段は、パケット破棄モードを選択することを特徴とする請求項７〜１０のいずれか１つに記載の電話装置。
【請求項１２】
前記パケット処理手段は、通信の開始時に、パケット破棄モードを選択することを特徴とする請求項１１記載の電話装置。
【請求項１３】
パケット処理手段は、通信の開始から予め定める時間経過後、パケット破棄モードを選択することを特徴とする請求項１１記載の電話装置。
【請求項１４】
前記記憶手段は、記憶手段に記憶される電話番号のうち所定の電話番号に対応する電話装置と通信中にパケット破棄モードが選択されると、通信の開始からパケット破棄モードが選択されるまでの通信時間を電話番号に対応して記憶し、
パケット処理手段は、前記通信時間を記憶した電話番号に対応する電話装置と通信を開始するとパケット全送信モードを選択し、通信開始時から、前記通信時間が経過するとパケット破棄モードを選択することを特徴とする請求項１１記載の電話装置。
【請求項１５】
前記記憶手段は、記憶手段に記憶される電話番号のうち所定の電話番号に対応する電話装置と通信中に、入力手段から入力される登録指令が入力されると、前記所定の電話番号を前記予め定める電話番号に設定することを特徴とする請求項１１〜１４のいずれか１つに記載の電話装置。
【請求項１６】
前記パケット処理手段は、記憶手段に記憶されている電話番号情報に対応する電話装置を除く電話装置と通信するときに、パケット破棄モードを選択することを特徴とする請求項１１〜１５のいずれか１つに記載の電話装置。
【請求項１７】
画像情報を生成する画像情報生成手段をさらに含み、
前記パケット処理手段は、前記音声データとともに、画像情報生成手段によって生成される画像情報をパケット化して複数の送信パケットを生成し、
前記送受信手段は、音声データとともに、画像情報がパケット化された受信パケットを受信し、
前記出力手段は、前記制御手段によって受信した受信パケットに含まれる音声データおよび画像情報を音声および画像として出力することを特徴とする請求項１〜１６のいずれか１つに記載の電話装置。
【発明の詳細な説明】
【技術分野】
【０００１】
本発明は、パケット化された音声データを送受信する電話装置に関する。
【背景技術】
【０００２】
特定の通話相手以外の通話相手からの着信を拒否することによって、迷惑電話を防ぐ方法を用いた電話装置がある（たとえば特許文献１参照）。この方法では不特定の相手と通話することができないという問題がある。また特定の相手に通話を限定したとしても、時と場合によっては特定の相手との通話が迷惑電話となりうる。
【０００３】
迷惑電話に遭遇した場合、通話相手にモデムの低周波音を聞かせることによって迷惑電話を撃退するコードレス電話装置がある（たとえば特許文献２参照）。また通話相手に着信拒否理由を音声メッセージによって通知することによって、一方的に電話を切ることを防ぐ着信拒否理由メッセージ通知方法を用いた電話装置がある（たとえば特許文献３参照）。このように通話相手に低周波音または着信拒否理由を通知することによって通話を終了すると、通話相手に不愉快な思いをさせる場合がある。
【０００４】
不可抗力によって通話を終了したと通話相手に思わせることによって、通話相手に不愉快な思いをさせずに通話を終了することができる無線電話機がある（たとえば特許文献４参照）。この無線電話機は、ノイズ発生回路およびノイズ挿入回路を備え、送信信号中にノイズを挿入する。送信信号中にノイズが重畳されるので、無線電話機の電波の捕捉状態が不良であると通話相手に思わせることができる。この状態において通話を終了すると、通話相手に無線電話機が原因で通話が終了したと思わせることができ、自然に通話を終了することができる。
【０００５】
【特許文献１】特開２００３−８７３５号公報
【特許文献２】特開平４−１５６０３６号公報
【特許文献３】特開平１１−３１７９８２号公報
【特許文献４】特開平１１−２７５２１７号公報
【発明の開示】
【発明が解決しようとする課題】
【０００６】
従来の技術では、送信信号中にノイズを重畳させるために、無線電話機の通話に本質的に必要な構成に、ノイズ発生回路およびノイズ挿入回路を追加する必要があり、装置が複雑になるという問題がある。
【０００７】
したがって本発明の目的は、装置の構成を複雑にすることなく迷惑電話に対応することができる電話装置を提供することである。
【課題を解決するための手段】
【０００８】
本発明は、音声を電気信号に変換して音声データを生成する音声データ生成手段と、
音声データ生成手段によって生成される音声データをパケット化して複数の送信パケットを生成し、生成した複数の送信パケットのうちの予め定める割合の送信パケットを断続的に出力可能なパケット処理手段と、
通信網に接続され、通信網に接続される他の電話装置との通信を確立した後、前記パケット処理手段から出力される送信パケットを通信網に送信し、かつ音声データがパケット化された受信パケットを通信網から受信する送受信手段と、
前記送受信手段によって受信した受信パケットに含まれる音声データを音声として出力する出力手段とを含むことを特徴とする電話装置である。
【０００９】
また本発明は、前記パケット処理手段は、音声データを時系列順にパケット化し、時系列順に連続する複数の送信パケットを除いて出力することを特徴とする。
【００１０】
また本発明は、前記送受信手段は、受信パケットを前記パケット処理手段に与え、
前記パケット処理手段は、前記送受信手段から与えられる受信パケットのうち、予め定める割合の受信パケットを出力し、
出力手段は、前記パケット処理手段から出力される受信パケットに含まれる音声データを音声として出力することを特徴とする。
【００１１】
また本発明は、前記送受信手段は、パケット処理手段が時系列順に断続的に送信パケットを出力し始めてから予め定める時間の経過後、他の電話装置との通信を終了することを特徴とする。
【００１２】
また本発明は、前記パケット処理手段は、前記予め定める割合を乱数に基づいて決定することを特徴とする。
【００１３】
また本発明は、前記パケット処理手段は、前記予め定める割合を通信時間の経過にともなって減少させることを特徴とする。
【００１４】
また本発明は、入力手段をさらに含み、
前記パケット処理手段は、入力手段から入力される選択指令に基づいて、生成した複数の送信パケットのうちの予め定める割合の送信パケットを出力するパケット破棄モードと、生成した複数の送信パケットの全てを出力するパケット全出力モードとを選択可能であることを特徴とする。
【００１５】
また本発明は、前記パケット処理手段は、前記入力手段から入力される前記予め定める割合を表す情報に応じて、予め定める割合を設定することを特徴とする。
【００１６】
また本発明は、前記パケット処理手段は、前記入力手段から入力される前記予め定める割合を減少することを表す情報に応じて、予め定める割合を減少させることを特徴とする。
【００１７】
また本発明は、時刻を計時する計時手段を備え、
パケット処理手段は、前記計時手段が計時する時刻が、入力手段から入力される時間帯情報が表す時間帯に含まれているときに前記パケット破棄モードを選択することを特徴とする。
【００１８】
また本発明は、電話番号情報を記憶する記憶手段をさらに含み、
記憶手段に記憶される電話番号情報のうち、予め定める電話番号情報に対応する電話装置と通信するときに、パケット処理手段は、パケット破棄モードを選択することを特徴とする。
【００１９】
また本発明は、前記パケット処理手段は、通信の開始時に、パケット破棄モードを選択することを特徴とする。
【００２０】
また本発明は、パケット処理手段は、通信の開始から予め定める時間経過後、パケット破棄モードを選択することを特徴とする。
【００２１】
また本発明は、前記記憶手段は、記憶手段に記憶される電話番号のうち所定の電話番号に対応する電話装置と通信中にパケット破棄モードが選択されると、通信の開始からパケット破棄モードが選択されるまでの通信時間を電話番号に対応して記憶し、
パケット処理手段は、前記通信時間を記憶した電話番号に対応する電話装置と通信を開始するとパケット全送信モードを選択し、通信開始時から、前記通信時間が経過するとパケット破棄モードを選択することを特徴とする。
【００２２】
また本発明は、前記記憶手段は、記憶手段に記憶される電話番号のうち所定の電話番号に対応する電話装置と通信中に、入力手段から入力される登録指令が入力されると、前記所定の電話番号を前記予め定める電話番号に設定することを特徴とする。
【００２３】
また本発明は、前記パケット処理手段は、記憶手段に記憶されている電話番号情報に対応する電話装置を除く電話装置と通信するときに、パケット破棄モードを選択することを特徴とする。
【００２４】
また本発明は、画像情報を生成する画像情報生成手段をさらに含み、
前記パケット処理手段は、前記音声データとともに、画像情報生成手段によって生成される画像情報をパケット化して複数の送信パケットを生成し、
前記送受信手段は、音声データとともに、画像情報がパケット化された受信パケットを受信し、
前記出力手段は、前記制御手段によって受信した受信パケットに含まれる音声データおよび画像情報を音声および画像として出力することを特徴とする。
【発明の効果】
【００２５】
本発明によれば、音声データ生成手段によって音声が電気信号に変換される。パケット処理手段は、音声データ生成手段によって生成された音声データをパケット化する。パケット処理手段は、生成した複数の送信パケットのうちの予め定める割合の送信パケットを出力可能である。パケット処理手段から出力される送信パケットは、送受信手段によって通信網に送信される。制御手段は、送信パケットを送信するとともに、受信パケットを受信する。この受信パケットに含まれる音声データは、出力手段から音声として出力される。これによって他の電話装置と電話通信可能となる。
【００２６】
パケット処理手段は、生成した全ての送信パケットのうちの一部を断続的に出力するので、電話装置からは、生成した全ての送信パケットのうちの一部が断続的に送信される。この電話装置から送信された送信パケットを受信した他の電話装置は、一部の送信パケットが欠落しているので音声データ生成手段によって変換される前の音声を再現することができず、音声が途切れ途切れになる。
【００２７】
たとえば送信パケットを送信する電話装置が基地局から遠く離れた場所に位置するなどして、基地局まで送信パケットを伝達することができない場合、およびパケットが輻輳している場合などの通信状態が悪い状況では、音声が途切れ途切れになる。このように電話装置は、生成した全ての送信パケットのうちの一部を断続的に送信することによって、通信状態が悪い状況と同じ状況を作り出すことができる。これによって電話装置の利用者は、通信状態が悪いと相手に思わせながら通話を終了することができる。
【００２８】
また本発明の電話装置は、電話通信をするために必要なハードウェア構成を用いて生成した送信パケットのうちの一部を断続的に送信することができ、従来の技術のようにノイズ発生回路およびノイズ挿入回路などの構成を付加する必要がなくなる。これによって、装置の構成を複雑にすることなく、通信状態が悪い状況と同じ状況を作り出すことができる。
【００２９】
また本発明によれば、パケット処理手段は、時系列順に音声データをパケット化するとともに、時系列順に連続する複数の送信パケットを除いて出力する。送信パケットを受信する他の電話装置は、欠落したパケットを補完するために、時系列的に欠落したパケットの直前のパケットのデータを複製して音声として出力する場合がある。このように他の電話装置は、欠落したパケットを補完することによって、音声が途切れ途切れに聞こえないようにするが、時系列的に連続した送信パケットを受信しないと、欠落したパケットを補完しきれずに音声が途切れ途切れに出力されるようになる。これによって通信状態が非常に悪い状況と同じ状況を作り出すことができ、電話装置の利用者は、通信状態が非常に悪いと相手に思わせながら通話を終了することができる。
【００３０】
また本発明によれば、送受信手段は、受信パケットをパケット処理手段に与える。パケット処理手段は、与えられた受信パケットのうちの全ての受信パケットを出力することなく、予め定める割合の受信パケットを出力する。出力手段は、パケット処理手段から出力される受信パケットを音声として出力する。出力手段からは、送受信手段が受信した全ての受信パケットのうちの一部が音声として出力されるので、通信相手の途切れ途切れの音声が出力される。これによって、電話装置の利用者は、通信相手がどの程度の途切れ途切れの音声を聞いているかを確認することができる。
【００３１】
生成した送信パケットの一部を断続的に送信しているといえども、通信相手がどの程度の途切れ途切れの音声を聞いているかを確認する方法がなければ、電話装置の利用者は、確信をもって通信状態が悪いと相手に思わせながら通話を終了することができない。本発明では、電話装置の利用者は、通信相手の途切れ途切れの音声を聞くことによって、自身の音声がどのように通信相手に届いているかを確認することができるので、確信をもって通信状態が悪いと相手に思わせながら通話を終了することができる。
【００３２】
また本発明によれば、パケット処理手段が時系列順に断続的に送信パケットを出力し始めてから、予め定める時間の経過後、自動的に他の電話装置との通信が終了する。すなわち通信状態が非常に悪い状況と同じ状況を作り出した後、予め定める時間が経過すると、電話装置の利用者が特別な操作をしなくても、他の電話装置との通信が終了する。これによって電話装置の利用者が他の電話装置との通信を終了するための操作が不必要となり、電話装置の利用者の利便性が向上する。
【００３３】
また本発明によれば、パケット処理手段は、予め定める割合を乱数に基づいて決定するので、生成される送信パケットのうちの電話装置から送信される送信パケットの割合がランダムに変化する。これによって、他の電話装置から出力される音声の途切れる頻度がランダムに変化する。実際の通信状態は時間とともに変化するので、実際の通信においては音声の途切れる頻度も時間とともに変化する。本発明の電話装置は、実際の通信と同様に他の電話装置から出力される音声の途切れる頻度をランダムに変化させることによって、実際の通信状態に近い状況を作り出すことができる。これによって電話装置の利用者は、通信状態が悪いと相手に思わせながら通話を終了することができる。
【００３４】
また本発明によれば、パケット処理手段は、予め定める割合を通信時間の経過にともなって減少させるので、生成される送信パケットのうちの電話装置から送信される送信パケットの割合が減少する。これによって他の電話装置から出力される音声の途切れる頻度が時間の経過とともに増加する。実際の通信においては、通信状態が悪化していくと、時間とともに音声の途切れる頻度が増加する。本発明の電話装置は、他の電話装置から出力される音声の途切れる頻度を時間の経過とともに増加することによって、通信状態が悪化している状況に近い状況を作り出すことができる。これによって電話装置の利用者は、通信状態が悪化していると相手に思わせながら通話を終了することができる。
【００３５】
また本発明によれば、パケット処理手段は、生成した複数の送信パケットのうちの予め定める割合の送信パケットを出力するパケット破棄モードと、生成した複数の送信パケットの全てを出力するパケット全出力モードとを、入力手段から入力される選択指令に基づいて選択可能である。これによって利用者の入力手段の操作に応じてパケット破棄モードとパケット全出力モードとが切換わり、利用者の利便性が向上する。
【００３６】
また本発明によれば、パケット処理手段は、入力手段から入力される予め定める割合を表す情報に応じて予め定める割合を設定するので、利用者の入力手段の操作に応じて、生成される送信パケットのうちの電話装置から送信される送信パケットの割合が設定される。したがって利用者は、入力手段を操作することによって電話装置の通信状態を擬似的に自由に設定することができ、利用者の利便性が向上する。
【００３７】
また本発明によれば、パケット処理手段は、入力手段から入力される予め定める割合を減少することを表す情報に応じて予め定める割合を設定するので、利用者の入力手段の操作に応じて、生成させる送信パケットのうちの電話装置から送信される送信パケットの割合が減少する。したがって利用者は、入力手段を操作することによって電話装置の通信状態を擬似的に悪化させることができ、利用者の利便性が向上する。
【００３８】
また本発明によれば、パケット処理手段は、入力手段から入力される時間帯情報が表す時間帯において予め定める割合の送信パケットを出力するので、利用者の入力手段の操作に応じた時間帯において、電話装置の通信状態を擬似的に悪化させることができる。たとえば利用者が通話したくない時間帯があれば、この時間帯を入力することによってこの時間帯の通信状態を擬似的に悪化させることができ、通話したくない時間帯において通信状態が悪いと相手に思わせながら通話を終了することができる。
【００３９】
また本発明によれば、パケット処理手段は、予め定める電話番号情報に対応する電話装置と通信するときに、パケット破棄モードを選択する。したがって予め定める電話番号情報に対応する電話装置と通信するときには、必ず通信状態を擬似的に悪化させることができ、通信状態が悪いと相手に思わせながら通話を終了することができる。
【００４０】
また本発明によれば、パケット処理手段は、予め定める電話番号情報に対応する電話装置と通信するときに、通信の開始時からパケット破棄モードを選択する。したがって予め定める電話番号情報に対応する電話装置と通信するときには、通信の開始時から必ず通信状態を擬似的に悪化させることができ、通信状態が悪いと相手に思わせながら通話を終了することができる。
【００４１】
また本発明によれば、パケット処理手段は、予め定める電話番号情報に対応する電話装置と通信するときに、通信の途中からパケット破棄モードを選択する。したがって予め定める電話番号情報に対応する電話装置と通信するときには、通信の途中から必ず通信状態を擬似的に悪化させることができ、通信状態が悪化したと相手に思わせながら通話を終了することができる。
【００４２】
また本発明によれば、記憶手段は、記憶手段に記憶される電話番号のうち所定の電話番号に対応する電話装置と通信中にパケット破棄モードが選択されると、通信の開始からパケット破棄モードが選択されるまでの通信時間を電話番号に対応して記憶する。パケット処理手段は、通信時間を記憶した電話番号に対応する電話装置と通信するときに、この電話装置に対応して記憶された通信時間が経過すると、パケット破棄モードを選択する。つまり通信中に前回パケット破棄モードが選択された通信時間が経過すると、パケット破棄モードが選択される。これによって利用者の特別な操作を必要とすることなく、前回の通信においてパケット破棄モードが選択された通信時間が、パケット破棄モードを開始する通信時間に自動的に反映されるので、利用者の利便性が向上する。
【００４３】
また本発明によれば、記憶手段は、記憶手段に記憶される電話番号のうち所定の電話番号に対応する電話装置と通信中に、入力手段から入力される登録指令が入力されると、前記所定の電話番号を前記予め定める電話番号に設定する。これによって、登録指令が入力された通信相手と次に通信するときには、パケット破棄モードが選択され、次回からの通信において通信状態が悪化したと相手に思わせながら通話を終了することができる。
【００４４】
また本発明によれば、記憶手段に記憶されている電話番号情報に対応する電話装置を除く電話装置と通信するときに、パケット破棄モードを選択する。これによってたとえば知らない人などによる電話装置との通信において、通信状態が悪化したと相手に思わせながら通話を終了することができる。
【００４５】
また本発明によれば、画像情報生成手段は、画像情報を生成する。前記パケット処理手段は、前記音声データとともに、画像情報生成手段によって生成される画像情報をパケット化して複数の送信パケットを生成する。このパケット処理手段は、前述したように生成した送信パケットの一部を出力する。前記送受信手段は、音声データとともに、画像情報がパケット化された受信パケットを受信する。前記出力手段は、前記制御手段によって受信した受信パケットに含まれる音声データおよび画像情報を音声および画像として出力する。つまり電話装置は、音声とともに画像を送受信するテレビ電話装置として機能する。
【００４６】
電話装置は、生成した送信パケットの一部を断続的に送信するので、この送信パケットを受信した他の電話装置では、出力される音声および画像が途切れ途切れになる。このように電話装置は、生成した全ての送信パケットのうちの一部を断続的に送信することによって、通信状態が悪い状況と同じ状況を作り出すことができる。これによって電話装置の利用者は、通信状態が悪いと相手に思わせながら通話を終了することができる。
【発明を実施するための最良の形態】
【００４７】
図１は、本発明の実施の一形態の携帯端末装置１の構成を示すブロック図である。本実施の形態では、電話装置として携帯端末装置１について説明する。携帯端末装置１は、無線電波を介して複数の電話装置および複数の基地局などによって構築される通信網から音声データ、文字データおよび画像データなどのコンテンツデータを受信するとともに、コンテンツデータを通信網に送信する。携帯端末装置１は、音声データを送受信することによって他の電話装置と電話通信を行う。
【００４８】
携帯端末装置１は、通信制御部２と、マイクロフォン３と、音声符号化部４と、スピーカ５と、音声復号化部６と、主制御部７と、表示部８と、操作ボタン部９と、メモリ１０と、アンテナ１１と、計時部１６と、撮像部１７とを含んで構成される。
【００４９】
主制御部７は、メモリ１０に記憶されたプログラムを読込んで実行することによって演算処理を行い、携帯端末装置１を構成する各部を制御する。主制御部７は、たとえば中央処理装置（Central Processing Unit：略称ＣＰＵ）によって実現される。主制御部７は、パケット処理手段に相当する。
【００５０】
マイクロフォン３は、音声をアナログ値で表される電気信号に変換して音声符号化部４に与える。音声符号化部４は、マイクロフォン３から与えられる電気信号を符号化し、デジタル値で表される音声データを生成する。具体的には音声符号化部４は、マイクロフォン３から与えられる電気信号を所定の時間間隔でサンプリングし、デジタル値で表される電気信号に変換する。本実施の形態では、音声符号化部４は、ＰＣＭ（Pulse Code
Modulation）方式に基づいて符号化を行い、音声データを生成する。音声符号化部４は、生成した音声データを主制御部７に与える。マイクロフォン３と音声符号化部４とは、音声データ生成部に相当する。
【００５１】
音声復号化部６は、主制御部７から与えられる音声データを復号化して、アナログ値で表される電気信号に変換する。音声復号化部６は、変換した電気信号をスピーカ５に与える。スピーカ５は、音声復号化部６から与えられえる電気信号を音声として出力する。スピーカ５と音声復号化部６とは、出力手段に相当する。
【００５２】
通信制御部２は、通信網を構成する電話装置との通信の確立および通信の終了などの通信の制御、およびアンテナ１１を介したコンテンツデータの送受信を行う。通信制御部２は、送受信手段に相当する。表示部８は、主制御部７の制御に基づいて、携帯端末装置１の利用者への指示および画像情報などを可視表示する。表示部８は、たとえば液晶ディスプレイ（Liquid Crystal Display：略称ＬＣＤ）によって実現される。アンテナ１１は、電波を捕捉して電気信号に変換し、変換した電気信号を通信制御部２に与える。またアンテナ１１は、通信制御部２から与えられる電気信号を電波に変換して放射する。
【００５３】
操作ボタン部９は、入力手段に相当し、テンキー、通話開始ボタンおよび通話終了ボタンなどを含んで実現される。携帯端末装置１の利用者が、表示部８に表示された画像情報に基づいてテンキーなどを操作すると、この操作に対応する指令が主制御部７に与えられる。メモリ１０は、主制御部７が読込むプログラム、画像データ、電話番号情報を含み、複数の通信相手を表す電話帳データおよび主制御部７の演算結果などを記憶する。
【００５４】
計時部１６は、時刻を計時するとともに、主制御部７の指令に基づいて経過時間を計測する。計時部１６は、リアルタイムクロックおよびタイマなどによって実現される。撮像部１７は、レンズおよびＣＣＤ（Charge Coupled Device）などを有し、たとえばデジタルカメラによって実現される。撮像部１７は、被写体からの光をレンズによってＣＣＤに照射し、照射された光を電気信号に変換して画像データを生成する。撮像部１７は、生成した画像データを主制御部７に与える。
【００５５】
図２は、主制御部７が生成した送信パケット群１２ａと、間引いた送信パケット群１２ｂとの関係を説明するための図である。
【００５６】
主制御部７は、音声符号化部４から与えられる音声データにヘッダを付加して、予め定める時間毎に音声データをパケット化する。本実施の形態では、主制御部７は、ＲＴＰ（Real-time Transport Protocol）に基づいて音声データから音声パケットを時系列順に生成する。以後、主制御部７によって生成され、通信制御部２によって送信されるべきパケットを送信パケットといい、通信制御部２によって受信されるパケットを受信パケットという。送信パケットのヘッダには、通信相手の端末のＩＰアドレスなどが含まれる。図２では、音声データに基づいて生成した５個の送信パケットから成る送信パケット群１２ａを示している。図２では、５個の送信パケットに対して生成した時系列順に１〜５の番号を付している。
【００５７】
主制御部７は、生成した送信パケットを通信制御部２に与える。主制御部７は、後述する所定の条件に合致するときに、生成した複数の送信パケットのうちの予め定める割合の送信パケットを出力し、通信制御部２に与える。予め定める割合は、出力する送信パケットの数を生成した全ての送信パケットの数で除した値である。主制御部７は、生成した送信パケットのうちの数値１から前記予め定める割合を減算した割合の送信パケットを破棄することによって送信パケットを間引き、間引いた送信パケットを除く残余の送信パケットを通信制御部２に与える。以後数値１から前記予め定める割合を減算した割合に１００を乗算した値を間引き率という。図２では、生成した送信パケットを時系列順にひとつ置きに破棄して間引いた送信パケット群１２ｂを示している。この場合前記予め定める割合は、２分の１であって、間引き率は５０％である。
【００５８】
通信制御部２は、主制御部７から与えられる送信パケットをアンテナ１１を介して電波として送信するので、間引かれた後の送信パケットが通信相手に送信される。間引かれた後の送信パケットを通信相手の端末が受信し、復号化すると、音声データに欠損があるので途切れ途切れの音声となる。これを通信相手が聞くと、通信相手の端末の通信状態が不良であると感じる。
【００５９】
図３は、携帯端末装置１の通信処理を表すフローチャートである。呼出元端末から着信があり、コネクション確立処理を行ってスピーカ５から着信中であることを表す呼出音を鳴動させると、ステップａ０からステップａ１に移行する。
【００６０】
ステップａ１では、主制御部７は操作ボタン部９の通話開始ボタンが押下げられたか否かを判断し、押下げられたと判断するとステップａ２に移行する。ステップａ１において主制御部７は、操作ボタン部９の通話開始ボタンが押下げられていないと判断すると、通話開始ボタンが押下げられるまで押下げられたか否かの判断を繰返す。
【００６１】
ステップａ２では、主制御部７はメモリ１０に記憶される通話時間および間引き処理などに関係する情報を初期化する。具体的には、通話時間をゼロ秒に設定する。また本実施の形態では破棄する送信パケットの間引き率を５０％に設定する。初期化が終了するとステップａ３に移行する。ステップａ３では、主制御部７は、通信処理を行い、通話ループを開始し、ステップａ４に移行する。
【００６２】
ステップａ４では、主制御部７は、マイクロフォン３に入力された音声に基づいて送信パケットを生成する。まずマイクロフォン３は、入力される音声をアナログ値で表される電気信号に変換して音声符号化部４に与える。次に音声符号化部４は、マイクロフォン３から与えられるアナログ値で表される電気信号を符号化し、デジタル値で表される音声データを生成する。次に主制御部７は、音声データにヘッダを付加して、送信パケットを生成する。次にステップａ５に移行する。
【００６３】
ステップａ５では、主制御部７は後述する間引き判定処理を行う。主制御部７が間引き判定処理を行うと、メモリ１０に記憶される間引きフラグがＯＮ（オン）かＯＦＦ（オフ）かのいずれかに設定される。間引きフラグがＯＮの場合には、送信パケットを間引くことを表し、間引きフラグがＯＦＦの場合には、送信パケットを間引かないことを表す。本実施の形態では、間引き率が５０％であって、時系列順に偶数番目に生成された送信パケットを破棄するので、ステップａ４において生成した送信パケットが、偶数番目の送信パケットであれば間引きフラグはＯＮになり、奇数番目の送信パケットであれば間引きフラグはＯＦＦになる。次にステップａ６に移行する。
【００６４】
ステップａ６では、主制御部７は、間引きフラグに基づいて送信パケットを破棄するタイミングか否かを判断する。具体的には、主制御部７は、間引きフラグがＯＦＦであれば送信パケットを破棄すべきタイミングでないと判断してステップａ７に移行する。また主制御部７は、間引きフラグがＯＮであれば送信パケットを破棄すべきタイミングであると判断してステップａ８に移行する。ステップａ７では、間引くタイミングではないので、主制御部７は、ステップａ４において生成した送信パケットを通信制御部２に与えることによって送信パケットをアンテナ１１から送信させ、ステップａ９に移行する。ステップａ８では、間引くタイミングなので、主制御部７は、ステップａ４において生成した送信パケットを通信制御部２に与えずに破棄し、ステップａ９に移行する。
【００６５】
ステップａ９では、スピーカ５は、受信した受信パケットに基づいて音声を出力する。まず主制御部７は、受信した受信パケットからヘッダなどを取除いて音声データを生成し、生成した音声データを音声復号化部６に与える。次に音声復号化部６は、音声データを復号化し、アナログ値で表される電気信号に変換してスピーカ５に与える。次にスピーカ５は、与えられた電気信号を音声として出力する。次にステップａ１０に移行する。主制御部７は、通話終了ボタンが押下げられるまでステップａ３〜ステップａ１０までの通話ループを繰り返す。主制御部７は、通話ループ中に通話終了ボタンが押下げられると通話ループを抜け出し、通話を終了する処理を行ってステップａ１１に移行し、通信処理を終了する。
【００６６】
図４は、図３に示すステップａ５の間引き判定処理を表すフローチャートである。間引き判定処理を開始すると、ステップｂ０からステップｂ１に移行する。ステップｂ１では、主制御部７は、生成した送信パケットが、通話を開始してから偶数番目に生成した送信パケットか否かを判断する。主制御部７は、偶数番目に生成した送信パケットであると判断するとステップｂ２に移行し、偶数番目でない、すなわち奇数番目に生成した送信パケットであると判断すると、ステップｂ３に移行する。本実施の形態では図２に示すように偶数番目に生成した送信パケットを破棄するので、ステップｂ２では、主制御部７は、間引きフラグをＯＮに設定し、ステップｂ４に移行する。また本実施の形態では奇数番目に生成した送信パケットは破棄せずに送信するので、ステップｂ３では、間引きフラグをＯＦＦに設定しステップｂ４に移行する。ステップｂ４では、メインルーチンに戻る。
【００６７】
以上説明した携帯端末装置１によれば、携帯端末装置１は、生成した全ての送信パケットのうちの一部を断続的に送信する。この携帯端末装置１から送信された送信パケットを受信した他の電話装置は、一部の送信パケットが欠落しているのでマイクロフォン３および音声符号化部４によって変換される前の音声を再現することができず、音声が途切れ途切れになる。
【００６８】
たとえば携帯端末装置１が基地局から遠く離れた場所に位置するなどして、基地局まで送信パケットを伝達することができない場合、およびパケットが輻輳している場合などの通信状態が悪い状況では、音声が途切れ途切れになる。このように携帯端末装置１は、生成した全ての送信パケットのうちの一部を断続的に送信することによって、通信状態が悪い状況と同じ状況を作り出すことができる。これによって電話装置の利用者は、通信状態が悪いと相手に思わせながら通話を終了することができる。
【００６９】
通信相手の電話装置から途切れ途切れの音声を出力させた状態で通信を終了すると、通信相手は、意図的に通信が終了されたと思わずに、通信状態が悪化したことに起因して通信が終了したと思う可能性が高くなる。通信中に通信を終了したいと思ったときに、一方的に通信を終了すると通話相手の感情を害する可能性があるので、通信を終了し難いが、意図的に通信を終了させたと通信相手に思わせずに通信を終了することができるので、利用者は、安心して通信を終了することができる。特に迷惑電話の場合には、通信相手の感情を害してしまうと執拗に迷惑電話をかけてくる場合がありうるが、通信状態が悪化して通信が終了したと思わせることができれば、通信不能な状態であると思い、迷惑電話をかけ直さない可能性が高くなる。
【００７０】
また本発明の携帯端末装置１は、ソフトウェアを変更するだけで、電話通信をするために必要なハードウェア構成を用いて生成した送信パケットのうちの一部を断続的に送信することができ、従来の技術のようにノイズ発生回路およびノイズ挿入回路などの構成を付加する必要がなくなる。これによって、装置の構成を複雑にすることなく、通信状態が悪い状況と同じ状況を作り出すことができる。
【００７１】
本実施の形態の携帯端末装置１では、間引き率を５０％として偶数番目の送信パケットを破棄するとしたけれども、間引き率は５０％に限られない。
【００７２】
図５は、間引き率を７５％としたときの、主制御部７が生成した送信パケット群１２ａと、間引いた送信パケット群１２ｂと、さらに間引いた送信パケット群１２ｃとの関係を説明するための図である。ステップｂ１において主制御部７は、間引き率に応じてステップｂ２およびステップｂ３のいずれに移行するかを判断する。間引き率が７５％の場合、主制御部７は、４×ｎ−２番目、４×ｎ−１番目および４×ｎ番目に生成した送信パケットを破棄する。ここで記号「ｎ」は、自然数を表す。具体的には、図４に示すステップｂ１において、主制御部７は、生成した送信パケットが、通話を開始してから４×ｎ−２番目、４×ｎ−１番目または４×ｎ番目に生成した送信パケットか否かを判断する。主制御部７は、４×ｎ−２番目、４×ｎ−１番目または４×ｎ番目に生成した送信パケットであると判断するとステップｂ２に移行し、４×ｎ−２番目、４×ｎ−１番目または４×ｎ番目でない、すなわち４×ｎ−３番目に生成した送信パケットであると判断すると、ステップｂ３に移行する。このように間引き率を変えることによって、図５に示すように間引き率５０％よりもさらに送信パケットを間引くことができる。間引き率を上げた場合には、通信相手の端末から出力される音声がより途切れ途切れになるので、通信相手に利用者の携帯端末装置１の通信状態がより悪い状況であると感じさせることができる。
【００７３】
本発明の他の実施の形態の携帯端末装置１は、予め定める割合を乱数に基づいてランダムに変更する。すなわち間引き率を乱数に基づいてランダムに変更する。本実施の形態の携帯端末装置１は、前述の携帯端末装置１と間引き判定処理のみが異なるので、重複する処理の説明を省略して間引き判定処理についてのみ説明する。
【００７４】
図６は、間引き判定処理を表すフローチャートである。間引き判定処理を開始すると、ステップｃ０からステップｃ１に移行する。ステップｃ１では、主制御部７は、間引き率Ｐの変更のタイミングか否かを判断する。具体的には主制御部７は、前回間引き率Ｐを変更した時刻から予め定める時間が経過している場合には間引き率Ｐの変更のタイミングと判断してステップｃ２に移行する。予め定める時間は、計時部１６によって計測される。前記予め定める時間は、携帯端末装置１を使用する状況において通信制御部２が電波を送受信することができる状況が変化する時間程度に設定され、たとえば３秒〜５秒に選ばれる。
【００７５】
ステップｃ２では、主制御部７は、０以上かつ１００以下の乱数を生成し、生成した乱数を間引き率Ｐに設定し、ステップｃ３に移行する。ステップｃ１において、主制御部７が、前回間引き率Ｐを変更した時刻から予め定める時間が経過していない場合には、間引き率Ｐの変更のタイミングではないと判断して、ステップｃ３に移行する。ステップｃ３では、主制御部７は、１以上かつ１００以下の乱数Ｒを生成し、ステップｃ４に移行する。
【００７６】
ステップｃ４では、主制御部７は、ステップｃ２において設定した間引き率Ｐが、ステップｃ３において生成した乱数Ｒ以上か否かを判断する。間引き率Ｐが乱数Ｒ以上の場合には、ステップｃ５に移行し、間引き率Ｐが乱数Ｒ未満であればステップｃ６に移行する。ステップｃ５では、主制御部７は、間引きフラグをＯＮに設定し、ステップｃ７に移行する。またステップｃ６では、間引きフラグをＯＦＦに設定しステップｃ７に移行する。ステップｃ７では、メインルーチンに戻る。
【００７７】
以上説明したように間引き率Ｐが時間とともに変化するので、通信相手の電話装置から出力される音声の途切れる頻度がランダムに変化する。実際の通信状態は時間とともに変化するので、実際の通信においては音声の途切れる頻度も時間とともに変化する。携帯端末装置１は、実際の通信と同様に他の電話装置から出力される音声の途切れる頻度をランダムに変化させることによって、実際の通信状態に近い状況を作り出すことができる。特に前述した予め定める時間が携帯端末装置１を使用する状況において通信制御部２が電波を送受信することができる状況が変化する時間程度に設定されるので、実際の通信状態の悪化の時間変化に近い状況を作り出すことができる。これによって電話装置の利用者は、通信状態が悪いと相手に思わせながら通話を終了することができる。
【００７８】
本発明の他の実施の形態の携帯端末装置１は、時間が経過するに連れて予め定める割合を減少する。すなわち時間が経過するに連れて間引き率を増加する。本実施の形態の携帯端末装置１は、前述の携帯端末装置１と間引き判定処理のみが異なるので、重複する処理の説明を省略して間引き判定処理についてのみ説明する。
【００７９】
図７は、間引き判定処理を表すフローチャートである。間引き判定処理を開始すると、ステップｄ０からステップｄ１に移行する。ステップｄ１では、主制御部７は、間引き率Ｐの変更のタイミングか否かを判断する。具体的には主制御部７は、前回間引き率Ｐを変更した時刻から予め定める時間が経過している場合には間引き率Ｐの変更のタイミングと判断してステップｄ２に移行する。前記予め定める時間は、前述したように携帯端末装置１を使用する状況において通信制御部２が電波を送受信することができる状況が変化する時間程度に設定され、３秒〜５秒に選ばれる。
【００８０】
ステップｄ２では、主制御部７は、間引き率Ｐに、予め定める値を加算した値を間引き率Ｐとして設定し、ステップｄ３に移行する。ステップｄ１において、主制御部７が、前回間引き率Ｐを変更した時刻から予め定める時間が経過していない場合には、間引き率Ｐの変更のタイミングではないと判断して、ステップｄ３に移行する。ステップｄ３では、主制御部７は、１以上かつ１００以下の乱数Ｒを生成し、ステップｄ４に移行する。
【００８１】
ステップｄ４では、主制御部７は、ステップｄ２において設定した間引き率Ｐが、ステップｄ３において生成した乱数Ｒ以上か否かを判断する。間引き率Ｐが乱数Ｒ以上の場合には、ステップｄ５に移行し、間引き率Ｐが乱数Ｒ未満であればステップｄ６に移行する。ステップｄ５では、主制御部７は、間引きフラグをＯＮに設定し、ステップｄ７に移行する。またステップｄ６では、間引きフラグをＯＦＦに設定しステップｄ７に移行する。ステップｄ７では、メインルーチンに戻る。
【００８２】
以上説明したように間引き率Ｐが時間の経過とともに増加するので、通信相手の電話装置から出力される音声の途切れる頻度が時間の経過とともに増加する。実際の通信においては、通信状態が悪化していくと、時間とともに音声の途切れる頻度が増加する。携帯端末装置１は、他の電話装置から出力される音声の途切れる頻度を時間の経過とともに増加することによって、通信状態が悪化している状況に近い状況を作り出すことができる。特に前述した予め定める時間が携帯端末装置１を使用する状況において通信制御部２が電波を送受信することができる状況が変化する時間程度に設定されるので、実際の通信状態の悪化の時間変化に近い状況を作り出すことができる。これによって電話装置の利用者は、通信状態が悪化していると相手に思わせながら通話を終了することができる。
【００８３】
本発明の他の実施の形態の携帯端末装置１は、操作ボタン部９から入力される選択指令に基づいて、送信パケットの破棄を許可するか否かを判断する。携帯端末装置１は、利用者によって操作ボタン部９の特定のボタンが押下げられると、間引き動作状態を許可状態に設定し、前記特定のボタンと異なるボタンが押下げられると、間引き動作状態を禁止状態に設定する。たとえばテンキーの数字「１」のボタンが押下げられて選択指令が入力されると、間引き動作状態を許可状態に設定し、テンキーの数字「２」のボタンが押下げられて選択指令が入力されると、間引き動作状態を禁止状態に設定する。間引き動作状態を許可状態に設定すると、主制御部７が生成した複数の送信パケットのうちの予め定める割合の送信パケットを通信制御部２に出力するパケット破棄モードになる。また間引き動作状態を禁止状態に設定すると、主制御部７が生成した複数の送信パケットの全てを通信制御部２に出力するパケット全出力モードになる。
【００８４】
図８は、主制御部７が間引き動作状態を設定する処理を表すフローチャートである。通話ループ中にテンキーの数字「１」または「２」のボタンが押下げられて選択指令が入力されると、割込み処理が発生し、ステップｅ０からステップｅ１に移行する。ステップｅ１では、主制御部７は、動作許可状態を表す情報が入力されたか否かを判断し、動作許可状態を表す情報が入力されたと判断すると、ステップｅ２に移行し、動作許可状態ではなく、禁止状態が入力されたと判断すると、ステップｅ３に移行する。具体的には、テンキーの数字「１」が押下げられたと判断すると、ステップｅ２に移行し、テンキーの数字「２」が押下げられたと判断するとステップｅ３に移行する。
【００８５】
ステップｅ２では、主制御部７は、間引き動作状態を許可状態に設定し、ステップｅ４に移行する。ステップｅ３では、主制御部７は、間引き動作状態を禁止状態に設定し、ステップｅ４に移行する。ステップｅ４では、割込み処理を終了する。
【００８６】
以上説明したように図８のフローが表す処理を主制御部７が実行することによって、利用者の操作ボタン部９の操作に基づいて間引き動作状態が許可状態か禁止状態かに設定される。
【００８７】
図９は、携帯端末装置１の通信処理を表すフローチャートである。呼出元端末から着信があり、コネクション確立処理を行ってスピーカ５から着信中であることを表す呼出音を鳴動させると、ステップｆ０からステップｆ１に移行する。
【００８８】
ステップｆ１では、主制御部７は操作ボタン部９の通話開始ボタンが押下げられたか否かを判断し、押下げられたと判断するとステップｆ２に移行する。ステップｆ１において主制御部７は、操作ボタン部９の通話開始ボタンが押下げられていないと判断すると、通話開始ボタンが押下げられるまで押下げられたか否かの判断を繰返す。
【００８９】
ステップｆ２では、主制御部７はメモリ１０に記憶される通話時間および間引き処理などに関係する情報を初期化する。具体的には、通話時間をゼロ秒に設定する。また本実施の形態では間引き率を５０％に設定する。また間引き動作を、メモリ１０に記憶された初期設定に基づいて許可状態か禁止状態のいずれか一方に設定する。初期化が終了するとステップｆ３に移行する。ステップｆ３では、主制御部７は、通信処理を行い、通話ループを開始し、ステップｆ４に移行する。
【００９０】
ステップｆ４では、主制御部７は、マイクロフォン３に入力された音声に基づいて送信パケットを生成する。まずマイクロフォン３は、入力される音声をアナログ値で表される電気信号に変換して音声符号化部４に与える。次に音声符号化部４は、マイクロフォン３から与えられるアナログ値で表される電気信号を符号化し、デジタル値で表される音声データを生成する。次に主制御部７は、音声データにヘッダを付加して送信パケットを生成する。次にステップｆ５に移行する。
【００９１】
ステップｆ５では、主制御部７は間引き動作が許可状態か否かを判断する。通話ループが開始してから、一度も操作ボタン部９の数字「１」または「２」のボタンが押下げられていなければ、間引き動作は、初期設定のままである。通話ループが開始してから、図８のフローが示す処理が行われると、間引き動作は、利用者の操作に基づいて設定される。主制御部７は、間引き動作が許可状態と判断するとステップｆ６に移行する。ステップｆ６では、主制御部７は、図４のフローに示す間引きの判定処理を行い、ステップｆ７に移行する。ステップｆ７では、主制御部７は、間引きフラグに基づいて送信パケットを破棄するタイミングか否かを判断する。具体的には、主制御部７は、間引きフラグがＯＦＦであれば送信パケットを破棄すべきタイミングでないと判断してステップｆ８に移行する。また主制御部７は、間引きフラグがＯＮであれば送信パケットを破棄すべきタイミングであると判断してステップｆ９に移行する。またステップｆ５において主制御部７が間引き動作が禁止状態であると判断するとステップｆ８に移行する。
【００９２】
ステップｆ８では、主制御部７は、ステップｆ４において生成した送信パケットを通信制御部２に与えることによって送信パケットをアンテナ１１から送信させ、ステップｆ１０に移行する。ステップｆ９では、主制御部７は、ステップｆ４において生成した送信パケットを通信制御部２に与えずに破棄し、ステップｆ１０に移行する。
【００９３】
ステップｆ１０では、スピーカ５は、受信した受信パケットに基づいて音声を出力する。まず主制御部７は、受信した受信パケットからヘッダなどを取除いて音声データを生成し、生成した音声データを音声復号化部６に与える。次に音声復号化部６は、音声データを復号化し、アナログ値で表される電気信号に変換してスピーカ５に与える。次にスピーカ５は、与えられた電気信号を音声にして出力する。次にステップｆ１１に移行する。主制御部７は、通話終了ボタンが押下げられるまでステップｆ３〜ステップｆ１１までの通話ループを繰り返す。主制御部７は、通話ループ中に通話終了ボタンが押下げられると通話ループを抜け出し、通話を終了する処理を行ってステップｆ１２に移行し、通信処理を終了する。
【００９４】
以上説明した本実施の形態の携帯端末装置１によれば、生成した複数の送信パケットのうちの予め定める割合の送信パケットを出力するパケット破棄モードと、生成した複数の送信パケットの全てを出力するパケット全出力モードとが、操作ボタン部９から入力される選択指令に基づいて選択される。これによって利用者の操作ボタン部９の操作に応じて生成した送信パケットの一部を断続的に送信するか、全ての送信パケットを送信するかが選択され、利用者の利便性が向上する。
【００９５】
本発明の他の実施の形態の携帯端末装置１は、前述の図８および図９のフローの処理を行う携帯端末装置１のステップｆ６の間引きの判定処理が異なり、かつ利用者の操作ボタン部９の操作に応じて間引き率Ｐを増加させる。本実施の形態の携帯端末装置１の通信処理は、前述の図９のフローの処理と同様であるので、重複する処理の説明を省略する。
【００９６】
図１０は、間引き率Ｐを増加させる処理を表すフローチャートである。携帯端末装置１は、利用者によって操作ボタン部９の特定のボタンが押下げられると、間引き率Ｐを増加させる。本実施の形態では、テンキーの数字「３」のボタンが押下げられると、間引き率Ｐが増加する。テンキーの数字「３」のボタンが押下げられると、割込み処理が発生し、ステップｇ０からステップｇ１に移行する。ステップｇ１では、主制御部７は、間引き率Ｐに予め定める値を加算した値を新たに間引き率Ｐとして設定し、間引き率Ｐを増加させる。次にステップｇ２に移行し、割込み処理を終了する。
【００９７】
主制御部７は、テンキーの数字「３」が押下げられる毎に図１０のフローが示す処理を行うので、テンキーの数字「３」が押下げられる毎に間引き率Ｐが増加する。
【００９８】
図１１は、図９のステップｆ６の間引きの判定処理を表すフローチャートである。間引き判定処理を開始するとステップｈ０からステップｈ１に移行する。ステップｈ１では、主制御部７は、１以上かつ１００以下の乱数Ｒを生成し、ステップｈ２に移行する。
【００９９】
ステップｈ２では、主制御部７は、間引き率Ｐが、ステップｈ２において生成した乱数Ｒ以上か否かを判断する。間引き率Ｐが乱数Ｒ以上の場合には、ステップｈ３に移行し、間引き率Ｐが乱数Ｒ未満であればステップｈ４に移行する。ステップｈ３では、主制御部７は、間引きフラグをＯＮに設定し、ステップｈ５に移行する。またステップｈ４では、間引きフラグをＯＦＦに設定しステップｈ５に移行する。ステップｈ５では、メインルーチンに戻る。
【０１００】
図１１のフローに示す処理を行うことによって、間引きフラグがＯＮかＯＦＦかのいずれかに設定され、送信パケットを破棄するか否かを間引き率Ｐに応じて設定することができる。
【０１０１】
以上説明した本実施の形態の携帯端末装置１によれば、利用者の操作ボタン部９の操作に応じて、生成させる送信パケットのうちの電話装置から送信される送信パケットの割合が減少する。したがって利用者は、操作ボタン部９を操作することによって電話装置の通信状態を擬似的に悪化させることができ、通信相手に通信状態が悪化していると思わせることができる。このときに利用者が通信を終了すれば、通信状態が悪化したことに起因して通信が終了したと通信相手に思わせることができる。
【０１０２】
本発明の他の実施の形態の携帯端末装置１は、前述の図８〜図１０のフローの処理を行う携帯端末装置１に加えて、利用者の操作ボタン部９の操作に応じて間引き率Ｐを設定する。本実施の形態の携帯端末装置１の通信処理は、前述の図９のフローの処理と同様であり、携帯端末装置１の間引きの判定処理は、前述の図１１のフローの処理と同様であるので、重複する処理の説明を省略する。
【０１０３】
図１２は、間引き率Ｐを変更する処理を表すフローチャートである。携帯端末装置１は、利用者によって操作ボタン部９の特定のボタンが押下げられると、間引き率Ｐを変更させる。たとえば表示部８に表示される画像情報に基づいて利用者が操作ボタン部９を操作し、間引き率Ｐが入力されると、割込み処理が発生し、ステップｊ０からステップｊ１に移行する。ステップｊ１では、主制御部７は、間引き率Ｐを操作ボタン部９の操作に応じた値に設定する。次にステップｊ２に移行し、割込み処理を終了する。
【０１０４】
主制御部７は、図１２のフローに示す処理を行うことによって設定される間引き率Ｐに基づいて、図１１に示す間引きの処理判定を行う。これによって携帯端末装置１からは、利用者の操作ボタン部９の操作に応じた間引き率Ｐで送信パケットを間引いた後の送信パケット群が送信される。
【０１０５】
以上説明した本実施の形態の携帯端末装置１によれば、利用者の操作ボタン部９の操作に応じて、生成される送信パケットのうちの携帯端末装置１から送信される送信パケットの割合が設定される。したがって利用者は、操作ボタン部９を操作することによって携帯端末装置１の通信状態を擬似的に自由に設定することができ、利用者の利便性が向上する。
【０１０６】
本発明の他の実施の形態の携帯端末装置１は、主制御部７が時系列順に連続する複数の送信パケットを除いて通信制御部２に送信パケットを出力する。つまり主制御部７は、時系列順に連続する複数の送信パケットを破棄する。本実施の形態の携帯端末装置１は、前述の各実施の形態の携帯端末装置１の間引きの判定処理が異なり、通信処理は同じなので、重複する処理の説明を省略して間引きの判定処理についてのみ説明する。
【０１０７】
図１３は、間引きの判定処理を表すフローチャートである。間引きの判定処理を開始すると、ステップｋ０からステップｋ１に移行する。ステップｋ１では、主制御部７は、送信パケットを間引くタイミングか否かを判断する。具体的には、主制御部７は、図６に示すステップｃ３とステップｃ４とを実行し、乱数Ｒが間引き率Ｐ以下であれば、間引きのタイミングと判断してステップｋ２に移行する。ステップｋ２では、主制御部７は連続間引きカウンタを初期化する。この連続間引きカウンタの初期値は、少なくとも連続して破棄すべき送信パケットの数を表す。次にステップｋ３に移行する。ステップｋ１において、乱数Ｒが間引き率Ｐよりも大きければ、間引きのタイミングでないと判断してステップｋ３に移行する。
【０１０８】
ステップｋ３では、主制御部７は、連続間引きカウンタが０よりも大きいか否かを判断する。連続間引きカウンタが０よりも大きければ、送信パケットを破棄すべきと判断してステップｋ４に移行する。ステップｋ４では、主制御部７は、間引きフラグをＯＮに設定してステップｋ５に移行する。ステップｋ５では、主制御部７は、連続間引きカウンタから１を減算した値を連続間引きカウンタとして設定し、ステップｋ７に移行する。
【０１０９】
ステップｋ３において主制御部７が連続間引きカウンタが０よりも大きくない、具体的には連続間引きカウンタが０と判断した場合には、送信パケットを破棄せずに送信すべきと判断してステップｋ６に移行する。ステップｋ６では、主制御部７は、間引きフラグをＯＦＦに設定してステップｋ７に移行する。ステップｋ７では、メインルーチンに戻る。
【０１１０】
ステップｋ２において、一度連続間引きカウンタが初期化されると、ステップｋ５において連続間引きカウンタが減算されて０にいたるまでは、間引きフラグが連続してＯＮになる。これによって、送信パケットが破棄され始めると、少なくとも連続間引きカウンタの初期値の数だけ時系列順に連続する送信パケットが破棄される。
【０１１１】
以上説明した本実施の形態の携帯端末装置１によれば、時系列順に連続する送信パケットが間引かれた後の送信パケットが通信相手の電話装置に送信される。送信パケットを受信する通信相手の電話装置は、欠落したパケットを補完するために、時系列的に欠落したパケットの直前のパケットのデータを複製して音声として出力する場合がある。このように通信相手の電話装置は、欠落したパケットを補完することによって、音声が途切れ途切れに聞こえないようにするが、時系列的に連続した送信パケットを受信しないと、欠落したパケットを補完しきれずに音声が途切れ途切れに出力されるようになる。本実施の形態の携帯端末装置１は、時系列順に連続する送信パケットが間引かれた後の送信パケットを送信するので、通信相手の電話装置からは途切れ途切れの音声が出力されるようになる。これによって通信状態が非常に悪い状況と同じ状況を作り出すことができ、電話装置の利用者は、通信状態が非常に悪いと相手に思わせながら通話を終了することができる。
【０１１２】
本発明の他の実施の形態の携帯端末装置１は、生成した送信パケットのうちの予め定める割合の送信パケットを送信するとともに、受信した受信パケットのうちの予め定める割合の受信パケットに基づいて音声を出力する。本実施の形態の携帯端末装置１の通話処理は、前述の図３のフローに示す処理のステップａ８の処理を終えた後に移行する移行先のステップが異なり、他の処理は同じである。
【０１１３】
図１４は、携帯端末装置１の通信処理を表すフローチャートである。ステップｍ０〜ステップｍ７の処理は、ステップａ０〜ステップａ７の処理とそれぞれ同じであり、ステップｍ９〜ステップｍ１１の処理は、ステップａ９〜ステップａ１１の処理とそれぞれ同じであるので、重複する処理については説明を省略する。
【０１１４】
ステップｍ８では、間引くタイミングなので、主制御部７は、ステップｍ４において生成した送信パケットを通信制御部２に与えずに破棄し、ステップｍ１０に移行する。このようにステップｍ８の処理を終えると、ステップｍ９に移行せずにステップｍ１０に移行するので、送信パケットを間引くタイミングのときには、受信パケットを複合化してスピーカ５から出力するステップｍ９の処理を行わない。
【０１１５】
以上説明した本発明の携帯端末装置１によれば、送信パケットを間引いているときには、同じ間引き率で受信パケットを間引き、間引いた後の受信パケットに基づいて音声が出力される。生成した送信パケットの一部を断続的に送信しているといえども、通信相手がどの程度の途切れ途切れの音声を聞いているかを確認する方法がなければ、携帯端末装置１の利用者は、確信をもって通信状態が悪いと相手に思わせながら通話を終了することができない。本発明では、利用者は、通信相手の途切れ途切れの音声を聞くことによって、自身の音声がどのように通信相手に届いているかを確認することができるので、確信をもって通信状態が悪いと相手に思わせながら通話を終了することができる。
【０１１６】
本発明の他の実施の形態の携帯端末装置１は、送信パケットの破棄を開始してから予め定める時間が経過すると、自動的に通信を終了する。本実施の形態の携帯端末装置１の通信処理は、前述の図３のフローに示す処理に、予め定める時間が経過したか否かを判断する処理が加わるとともに、前述の各実施の形態の携帯端末装置１とは間引きの判定処理が異なる。
【０１１７】
図１５は、携帯端末装置１の通信処理を表すフローチャートである。図１６は、間引きの判定処理を表すフローチャートである。
【０１１８】
図１６に示す間引き判定処理のステップｐ１〜ステップｐ３の処理は、それぞれ図４に示すステップｂ１〜ステップｂ３の処理と同じなので、重複する処理の説明を省略する。ステップｐ２において主制御部７が間引きフラグをＯＮに設定してステップｐ４に移行すると、主制御部７は、通話開始後、最初の間引きか否かを判断する。具体的には主制御部７は、通話を開始してから初めて間引きフラグをＯＮに設定したと判断すると、ステップｐ５に移行し、既に間引き判定フラグをＯＮに設定したことがあればステップｐ６に移行する。ステップｐ５では、主制御部７は計時部１６の通話終了タイマをスタートする。通話終了タイマの初期値は、予め利用者が操作ボタン部９を操作することによって設定され、メモリ１０に記憶されている。次にステップｐ６に移行して、メインルーチンに戻る。図１６に示す処理を行うことによって、間引きを開始すると通話終了タイマがスタートし、送信パケットを破棄し始めてからの時間を計測する。
【０１１９】
図１５に示す通信処理には、図３に示す処理のステップａ９とステップａ１０との間に通話終了タイマがタイムアウトか否かを判断する処理が加わる。ステップｎ０〜ステップｎ９の処理は、ステップａ０〜ステップａ９の処理とそれぞれ同じであり、ステップｎ１１およびステップｎ１２の処理は、ステップａ１０およびステップａ１１の処理とそれぞれ同じなので、重複する処理の説明を省略する。
【０１２０】
ステップｎ９において復号化した受信パケットを音声としてスピーカ５から出力すると、ステップｎ１０に移行する。ステップｎ１０では、主制御部７は、通話終了タイマがタイムアウトになったか否かを判断し、通話終了タイマをスタートしてから予め定める時間が経過したと判断すると、通話を終了する処理を行ってステップｎ１２に移行し、通信処理を終了する。ステップｎ１０において、通話終了タイマがタイムアウトになっていなければステップｎ１１に移行して通話ループを続行する。
【０１２１】
以上説明した本実施の形態の携帯端末装置１によれば、主制御部７が時系列順に断続的に送信パケットを出力し始めてから、予め定める時間の経過後、自動的に他の電話装置との通信が終了する。すなわち通信状態が非常に悪い状況と同じ状況を作り出した後、予め定める時間が経過すると、電話装置の利用者が特別な操作をしなくても、他の電話装置との通信が終了する。これによって携帯端末装置１の利用者が他の電話装置との通信を終了するための操作が不必要となり、携帯端末装置１の利用者の利便性が向上する。
【０１２２】
本発明の他の実施の形態の携帯端末装置１は、送信パケットを破棄する間引き対象として電話帳データに登録されているか否かに基づいて、送信パケットを破棄するか否かを判断する。
【０１２３】
図１７は、携帯端末装置１の通信処理を表すフローチャートである。図１８は、主制御部７が間引き対象となる通信相手を電話帳に登録する処理を表すフローチャートである。携帯端末装置１の利用者が操作ボタン部９を操作し、特定の通信相手の端末を間引き対象として登録することを表す情報が入力されると、ステップｒ０からステップｒ１に移行する。ステップｒ１では、主制御部７は、メモリ１０に記憶された電話帳データを更新し、入力された特定の通信相手の端末を間引き対象として登録する。次にステップｒ２に移行し、間引き対象を電話帳に登録する処理を終了する。
【０１２４】
図１７に示す通信処理のステップｑ０〜ステップｑ４までの処理は、図３のステップａ０〜ステップａ４までの処理とそれぞれ同じなので、重複する処理の説明を省略する。ステップｑ４において送信パケットを生成すると、ステップｑ５に移行する。ステップｑ５では、主制御部７は、通信相手の端末が、電話帳データにおいて間引き対象に登録されているか否かを判断する。間引き対象に登録されていればステップｑ６に移行する。ステップｑ６では、主制御部７は、前述した間引きの判定処理を行い、ステップｑ７に移行する。ステップｑ７では、主制御部７は、送信パケットを間引くタイミングか否かを判断し、間引きフラグがＯＦＦであればステップｑ８に移行し、間引きフラグがＯＮであればステップｑ９に移行する。ステップｑ８〜ステップｑ１２までの処理は、図３のステップａ７〜ステップａ１１までの処理とそれぞれ同じなので、重複する処理の説明を省略する。
【０１２５】
以上説明した本実施の形態の携帯端末装置１によれば、電話帳データに間引き対象として登録された予め定める電話番号情報に対応する電話装置と通信するときに、通信の開始からパケット破棄モードを選択して、間引き率Ｐで送信パケットを破棄する。また間引き対象として登録していない電話番号情報に対応する電話装置と通信するときには、パケット全出力モードを選択して生成した全ての送信パケットを送信する。したがって予め定める電話番号情報に対応する電話装置と通信するときにのみ、通信の開始時から必ず通信状態を擬似的に悪化させることができ、通信状態が悪いと相手に思わせながら通話を終了することができる。
【０１２６】
本発明の他の実施の形態の携帯端末装置１は、送信パケットを破棄する間引き対象として電話帳データに登録されている通信相手に対して、通信の開始から予め定める時間が経過するとパケット破棄モードを選択する。
【０１２７】
図１９は、携帯端末装置１の通信処理を表すフローチャートである。本実施の形態の携帯端末装置１の通信処理は、図１７に示す通信処理のステップｑ５の処理とステップｑ６の処理との間に、予め定める時間が経過したか否かを判断するステップｓ６の処理を追加したものである。ステップｓ０〜ステップｓ５までの処理は、ステップｑ０〜ステップｑ５までの処理とそれぞれ同じであり、ステップｓ７〜ステップｓ１３までの処理は、ステップｑ６〜ステップｑ１２までの処理と同じなので、重複する処理については説明を省略する。
【０１２８】
ステップｓ５において、主制御部７が通信相手の端末が電話帳データにおいて間引き対象に登録されていると判断すると、ステップｓ６に移行する。ステップｓ６では、主制御部７は、通信を開始してから予め定める時間が経過したかを判断し、予め定める時間が経過しているとステップｓ７に移行し、予め定める時間が経過していないと、ステップｓ９に移行する。ステップｓ５において主制御部７が通信相手の端末が電話帳データにおいて間引き対象に登録されていないと判断すると、ステップｓ９に移行する。
【０１２９】
以上説明した本実施の形態の携帯端末装置１によれば、電話帳データに間引き対象として登録された予め定める電話番号情報に対応する電話装置と通信するときに通信の途中からパケット破棄モードが選択される。したがって予め定める電話番号情報に対応する電話装置と通信するときには、通信の途中から必ず通信状態を擬似的に悪化させることができ、通信状態が悪化したと相手に思わせながら通話を終了することができる。
【０１３０】
本発明の他の実施の形態の携帯端末装置１は、他の端末と通話中に間引き対象を登録するための登録指令が入力されると、通話中の他の端末を間引き対象として登録する。たとえば通話中にテンキーの数字「４」のボタンが押下げられて登録指令が入力されると、通話中の他の端末を間引き対象として登録する。本実施の形態の携帯端末装置１の通信処理は、前述の図１７のフローに示す処理と同じなので、重複する処理の説明を省略する。
【０１３１】
図２０は、電話帳の登録内容を間引き対象に変更する処理を表すフローチャートである。通話ループ中にテンキーの数字「４」のボタンが押下げられると、割込み処理が発生し、ステップｔ０からステップｔ１に移行する。ステップｔ１では、主制御部７は、通信相手の電話帳データに登録された間引き対象か否かの内容を、間引き対象に変更してステップｔ２に移行し、割込み処理を終了する。
【０１３２】
以上説明した本実施の形態の携帯端末装置１によれば、通信中に利用者が操作ボタン部９を操作すると、通信相手が間引き対象として電話帳データに登録される。これによって間引き対象として登録された通信相手と次に通信するときには、パケット破棄モードが選択され、次回からの通信において通信状態が悪化したと相手に思わせながら通話を終了することができる。このように利用者が特別な操作をすることなく特定の通信相手を間引き対象として登録することができるので、利用者の利便性が向上する。
【０１３３】
本発明の他の実施の形態の携帯端末装置１は、電話帳データに登録されており、かつ非通知設定でない通信相手に対してパケット全出力モードを選択し、電話帳データに登録されていない通信相手、または非通知設定の通信相手に対してパケット破棄モードを選択する。
【０１３４】
図２１は、携帯端末装置１の通信処理を表すフローチャートである。図２２は、主制御部７が通信相手の電話番号を電話帳データに登録する処理を表すフローチャートである。
【０１３５】
携帯端末装置１の利用者が操作ボタン部９を操作し、特定の通信相手の端末に対応する電話番号を表す情報が入力されると、ステップｖ０からステップｖ１に移行する。ステップｖ１では、主制御部７は、メモリ１０に記憶された電話帳データを更新し、入力された特定の通信相手の端末に対応する電話番号を電話帳データに登録する。次にステップｖ２に移行し、処理を終了する。
【０１３６】
図２１に示す通信処理は、前述の図１７の通信処理においてステップｑ５の処理をステップｕ５とステップｕ６との処理に置換したものである。ステップｕ０〜ステップｕ４の処理は、ステップｑ０〜ステップｑ４の処理とそれぞれ同じであり、ステップｕ７〜ステップｕ１３の処理は、ステップｑ６〜ステップｑ１２の処理とそれぞれ同じなので、重複する処理の説明を省略する。
【０１３７】
ステップｕ４において主制御部７が送信パケットを生成するとステップｕ５に移行する。ステップｕ５では、主制御部７は受信パケットに基づいて、通信相手の電話番号が、電話番号を通知しない非通知設定か否かを判断し、非通知設定でない場合にはステップｕ６に移行し、非通知設定の場合には、ステップｕ７に移行する。
【０１３８】
ステップｕ６では、主制御部７は、受信パケットから通信相手の電話番号を特定し、この電話番号が電話帳データに登録されていないか否かを判断する。特定した電話番号が電話帳データに登録されていなければステップｕ７に移行し、特定した電話番号が登録されていれば、ステップｕ９に移行する。
【０１３９】
以上説明した本実施の形態の携帯端末装置１によれば、電話帳データに登録されていない通信相手、または非通知設定の通信相手に対してパケット破棄モードを選択する。これによってたとえば知らない人などによる電話装置との通信において、通信状態が悪化したと相手に思わせながら通話を終了することができる。
【０１４０】
本発明の他の実施の形態の携帯端末装置１は、通話中に間引き動作状態を設定する選択指令が入力されると、通話の開始から選択指令が入力するまでに経過した時間を記憶し、次回の通話において通話の開始から記憶した時間経過すると、送信パケットの破棄を開始する。
【０１４１】
図２３は、携帯端末装置１の通信処理を表すフローチャートである。図２４は、選択指令が入力されたときの経過時間を電話帳データに登録する処理を表すフローチャートである。
【０１４２】
通話ループ中にテンキーの数字「１」または「２」のボタンが押下げられて選択指令が入力されると、割込み処理が発生し、ステップｘ０からステップｘ１に移行する。ステップｘ１では、主制御部７は、動作許可状態を表す情報が入力されたか否かを判断し、動作許可状態を表す情報が入力されたと判断すると、ステップｘ２に移行し、動作許可状態ではなく、禁止状態が入力されたと判断すると、ステップｘ３に移行する。具体的には、テンキーの数字「１」が押下げられたと判断すると、ステップｘ２に移行し、テンキーの数字「２」が押下げられたと判断するとステップｘ３に移行する。
【０１４３】
ステップｘ２では、主制御部７は、間引き動作状態を許可状態に設定し、ステップｘ４に移行する。ステップｘ４では、主制御部７は、通信開始から動作状態を許可状態に設定するまでに経過した時間を、通信相手に対応させて電話帳データに登録し、ステップｘ５に移行する。ステップｘ３では、主制御部７は、間引き動作状態を禁止状態に設定し、ステップｘ５に移行する。ステップｘ５では、割込み処理を終了し、割込み処理を終了する。
【０１４４】
図２３に示す通信処理は、前述の図９の通信処理にステップｗ６の処理を追加したものである。ステップｗ０〜ステップｗ５の処理は、ステップｆ０〜ステップｆ５の処理とそれぞれ同じであり、ステップｗ７〜ステップｗ１３の処理は、ステップｆ６〜ステップｆ１２の処理とそれぞれ同じなので、重複する処理については説明を省略する。
【０１４５】
ステップｗ５では、主制御部７は間引き動作が許可状態か否かを判断し、間引き動作が禁止状態であればステップｗ６に移行し、間引き動作が許可状態であればステップｗ７に移行する。ステップｗ６では、主制御部７は、電話帳データおよび計時部１６から与えられる通話時間を表す情報に基づいて、現在通信をしている端末に対して、前回間引き処理を開始した通話時間を経過しているか否かを判断する。前回間引き処理を開始した通話時間を経過している場合にはステップｗ７に移行し、経過していない場合にはステップｗ９に移行する。
【０１４６】
以上説明した本実施の形態の携帯端末装置１によれば、通信中に前回パケット破棄モードが選択された通信時間が経過すると、パケット破棄モードが選択される。これによって利用者の特別な操作を必要とすることなく、前回の通信においてパケット破棄モードが選択された通信時間が、パケット破棄モードを開始する通信時間に自動的に反映されるので、利用者の利便性が向上する。
【０１４７】
本発明の他の実施の形態の携帯端末装置１は、予め定める時間帯において、送信パケットの間引き処理を行う。
【０１４８】
図２５は、携帯端末装置１の通信処理を表すフローチャートである。図２６は、間引き動作許可時間帯を設定する処理を表すフローチャートである。
【０１４９】
携帯端末装置１の利用者が操作ボタン部９を操作し、間引き動作を許可する時間帯を指定する情報である時間帯情報が入力されると、ステップｚ０からステップｚ１に移行する。ステップｚ１では、主制御部７は、入力された時間帯を、間引き動作許可時間帯として設定する。次にステップｚ２に移行し、間引き動作許可時間帯を設定する処理を終了する。
【０１５０】
図２５に示す携帯端末装置１の通信処理は、図９のステップｆ５の処理を、間引き動作許可時間帯か否かを判断するステップｙ５の処理に置換したものである。ステップｙ０〜ステップｙ４までの処理は、ステップｆ０〜ステップｆ４までの処理とそれぞれ同じであり、ステップｙ６〜ステップｙ１２までの処理は、ステップｆ６〜ステップｆ１２までの処理と同じなので、重複する処理については説明を省略する。
【０１５１】
ステップｙ４において送信パケットを生成すると、ステップｙ５に移行する。ステップｙ５では、主制御部７は、計時部１６によって計時される時刻に基づいて、現時刻が間引き動作許可時間帯に含まれるか否かを判断する。現時刻が間引き動作許可時間帯に含まれればステップｙ６に移行し、現時刻が間引き動作許可時間帯に含まれなければ、ステップｙ８に移行する。
【０１５２】
以上説明した本実施の形態の携帯端末装置１によれば、現時刻が間引き動作許可時間帯に含まれればパケット破棄モードが選択され、現時刻が間引き動作許可時間帯に含まれなければ、パケット全出力モードが選択される。携帯端末装置１は、時間帯情報が表す時間帯において予め定める割合の送信パケットを出力するので、利用者の操作ボタン部９の操作に応じた時間帯において、携帯端末装置１の通信状態を擬似的に悪化させることができる。たとえば利用者が通話したくない時間帯があれば、この時間帯を入力することによってこの時間帯の通信状態を擬似的に悪化させることができ、通話したくない時間帯において通信状態が悪いと相手に思わせながら通話を終了することができる。
【０１５３】
本発明の他の実施の形態の携帯端末装置１は、テレビ電話装置として機能する。主制御部７は、音声データに基づいて送信パケットを生成するとともに、撮像部１７から与えられる画像データに基づいて送信パケットを生成する。主制御部７は、生成した送信パケットの一部を通信制御部２に与える。また主制御部７は、通信制御部２が受信した受信データに基づいて画像データを生成し、表示部８に与えて可視表示させる。
【０１５４】
図２７は、携帯端末装置１の通信処理を表すフローチャートである。図２７に示す通信処理は、図３に示す通信処理のステップａ４とステップａ５との間に画像データに基づいて送信パケットを生成するステップａａ５の処理を追加するとともに、ステップａ９とステップａ１０との間に画像データを表示部から表示するステップａａ１１の処理を追加したものである。ステップａａ０〜ステップａａ４までの処理は、ステップａ０〜ステップａ４までの処理にそれぞれ対応し、ステップａａ６〜ステップａａ１０までの処理は、ステップａ５〜ステップａ９までの処理にそれぞれ対応し、ステップａａ１２およびステップａａ１３の処理は、ステップａ１０およびステップａ１１の処理にそれぞれ対応するので、重複する処理については説明を省略する。
【０１５５】
ステップａａ５では、主制御部７は、撮像部１７によって生成された画像データに基づいて送信パケットを生成し、ステップａａ６に移行する。
【０１５６】
ステップａａ１１では、主制御部７は、受信パケットに基づいて画像データを生成し、生成した画像データを表示部８に与えて画像データを表示させる。
【０１５７】
以上説明した本実施の形態の携帯端末装置１によれば、携帯端末装置１はテレビ電話装置として機能する。この携帯端末装置１は、音声データおよび画像データに基づいて生成した送信パケットの一部を断続的に送信するので、この送信パケットを受信した他の電話装置では、出力される音声および画像が途切れ途切れになる。このように携帯端末装置１は、生成した全ての送信パケットのうちの一部を断続的に送信することによって、通信状態が悪い状況と同じ状況を作り出すことができる。これによって携帯端末装置１の利用者は、通信状態が悪いと相手に思わせながら通話を終了することができる。
【０１５８】
本発明の電話装置として携帯端末装置について説明したが、本発明の電話装置は、携帯端末装置に限らずに、固定されたＩＰ電話装置およびこのＩＰ電話装置と無線通信可能であって、ＩＰ電話装置を介して電話通信可能なコードレス子機にも好適に適用される。固定されたＩＰ電話装置であってもパケットが輻輳するなどして通信状態が悪くなるので、擬似的に通信状態が悪い状態を作り出すことによって、通信状態が悪いと相手に思わせながら通話を終了することができる。
【図面の簡単な説明】
【０１５９】
【図１】本発明の実施の一形態の携帯端末装置１の構成を示すブロック図である。
【図２】主制御部７が生成した送信パケット群１２ａと、間引いた送信パケット群１２ｂとの関係を説明するための図である。
【図３】携帯端末装置１の通信処理を表すフローチャートである。
【図４】間引き判定処理を表すフローチャートである。
【図５】間引き率を７５％としたときの、主制御部７が生成した送信パケット群１２ａと、間引いた送信パケット群１２ｂと、さらに間引いた送信パケット群１２ｃとの関係を説明するための図である。
【図６】間引き判定処理を表すフローチャートである。
【図７】間引き判定処理を表すフローチャートである。
【図８】主制御部７が間引き動作状態を設定する処理を表すフローチャートである。
【図９】携帯端末装置１の通信処理を表すフローチャートである。
【図１０】間引き率Ｐを増加させる処理を表すフローチャートである。
【図１１】間引きの判定処理を表すフローチャートである。
【図１２】間引き率Ｐを変更する処理を表すフローチャートである。
【図１３】間引きの判定処理を表すフローチャートである。
【図１４】携帯端末装置１の通信処理を表すフローチャートである。
【図１５】携帯端末装置１の通信処理を表すフローチャートである。
【図１６】間引きの判定処理を表すフローチャートである。
【図１７】携帯端末装置１の通信処理を表すフローチャートである。
【図１８】主制御部７が間引き対象となる通信相手を電話帳に登録する処理を表すフローチャートである。
【図１９】携帯端末装置１の通信処理を表すフローチャートである。
【図２０】電話帳の登録内容を間引き対象に変更する処理を表すフローチャートである。
【０１６０】
【図２１】携帯端末装置１の通信処理を表すフローチャートである。
【図２２】主制御部７が通信相手の電話番号を電話帳データに登録する処理を表すフローチャートである。
【図２３】携帯端末装置１の通信処理を表すフローチャートである。
【図２４】選択指令が入力されたときの経過時間を電話帳データに登録する処理を表すフローチャートである。
【図２５】携帯端末装置１の通信処理を表すフローチャートである。
【図２６】間引き動作許可時間帯を設定する処理を表すフローチャートである。
【図２７】携帯端末装置１の通信処理を表すフローチャートである。
【符号の説明】
【０１６１】
１  携帯端末装置
２  通信制御部
３  マイクロフォン
４  音声符号化部
５  スピーカ
６  音声復号化部
７  主制御部
８  表示部
９  操作ボタン部
１０  メモリ
１１  アンテナ
１２  受信パケット群
１６  計時部
１７  撮像部
【図１】
2008010983.tif 000003
【図２】
2008010983.tif 000004
【図３】
2008010983.tif 000005
【図４】
2008010983.tif 000006
【図５】
2008010983.tif 000007
【図６】
2008010983.tif 000008
【図７】
2008010983.tif 000009
【図８】
2008010983.tif 000010
【図９】
2008010983.tif 000011
【図１０】
2008010983.tif 000012
【図１１】
2008010983.tif 000013
【図１２】
2008010983.tif 000014
【図１３】
2008010983.tif 000015
【図１４】
2008010983.tif 000016
【図１５】
2008010983.tif 000017
【図１６】
2008010983.tif 000018
【図１７】
2008010983.tif 000019
【図１８】
2008010983.tif 000020
【図１９】
2008010983.tif 000021
【図２０】
2008010983.tif 000022
【図２１】
2008010983.tif 000023
【図２２】
2008010983.tif 000024
【図２３】
2008010983.tif 000025
【図２４】
2008010983.tif 000026
【図２５】
2008010983.tif 000027
【図２６】
2008010983.tif 000028
【図２７】
2008010983.tif 000029